(57)【要約】【目的】優れた布糸解れ防止性を具備して、耐久性に富んだ基布や当て布に好適な基材、また、その基材を用いて、洗濯等により繰り返し使用できる、耐久性に富んだ清掃部材及び清掃具を提供する。【構成】ハンディモップ用払拭部材１１が植設された基布１２上面には、細長形状布片からなる袋状保持部１３が縫着され、基布１２との間に袋状挿着部が形成される。基布１２と、袋状保持部１３の当て布の布材は経糸４０及び緯糸４１による織布からなり、経糸４０に対し緯糸４１がジグザグ状に織成され、経糸４０側の布端縁５０には経糸の切断部があるが、緯糸４１側の布端縁５１には、ジグザグ状織成された折り返しループ部が露出して糸切断部を有しない布縁構造を形成する。基布１２は緯糸４１側の布端縁５１を長辺にした長方形布材が使用され、当て布も緯糸４１側の布端縁５１を長辺にした長方形布材が使用されている。【選択図】  図４
2007175106.tif 000002
【特許請求の範囲】
【請求項１】
払拭部材を少なくとも下面に保持するための基材において、前記基材が基布及び／又は基布に固着される当て布から形成されてなり、前記基材の少なくとも一側縁に、布糸解れ防止手段を設けたことを特徴とする基材。
【請求項２】
前記基材が織布からなり、前記布糸解れ防止手段が、前記織布の経糸又は緯糸の少なくとも一方をジグザグ状に織成し、前記側縁に糸切断部を有しない布縁構造からなる請求項１に記載の基材。
【請求項３】
前記基材が所定形状に切断された化繊糸織布からなり、前記布糸解れ防止手段が、前記切断部を溶着した溶着部を備えた布縁構造からなる請求項１に記載の基材。
【請求項４】
請求項１〜３のいずれかに記載の基材の前記基布下面に払拭部材を設け、前記基布上面に前記当て布を、前記布糸解れ防止手段を設けた前記側縁を合致させてアーチ状に固着して挿着部を形成したことを特徴とする清掃部材。
【請求項５】
前記基布の端部を折り返して重ね、その重なり部分の両側端を縫着した袋部を備えた請求項４に記載の清掃部材。
【請求項６】
前記挿着部の開口端の表裏にコ字形帯片を挟み付けて、前記開口端に固着した請求項４又は５に記載の清掃部材。
【請求項７】
請求項４〜６のいずれかに記載の清掃部材と、把持部とを備え、前記把持部の一端側を支持片として、前記支持片を前記挿着部に挿着自在にしたことを特徴とする清掃具。
【請求項８】
前記挿着部を貫通形状とし、前記挿着部を挿通した前記支持片の先端を前記袋部に内包させた請求項７に記載の清掃具。
【発明の詳細な説明】
【技術分野】
【０００１】
この発明は、例えばモップ状物等の払拭部材を保持するための基材、その基材により形成された清掃部材及びその清掃部材を用いた清掃具に関する。
【背景技術】
【０００２】
この種の清掃具には、例えば、特許文献１に示されているように、長いへら状の支持片をモップの開口に差し込んで支持するハンディモップがある。モップの開口部は、パイル材等のモップ材（払拭部材）を保持する基布の上面に当て布を空洞状に縫着して形成されている。基布の素材には、モップを保持する強度を必要とするため、厚手のキャンバス布、木綿や合成化学繊維の帆布等の布材が使用されている。また、当て布の素材には、支持片を支持する強度を必要とするため、同様の布材が使用されている。
【特許文献１】特開平１１−２２５９３３号公報
【発明の開示】
【発明が解決しようとする課題】
【０００３】
しかしながら、従来の基布や当て布は、上記布材を矩形等の所定形状に裁断したものを使用しているため、裁断箇所から布糸が解れ易いといった問題があった。特に、汚れたモップを洗濯する頻度が多くなると、裁断箇所の痛みが激しくなり、布糸が解れたり、千切れたりして、耐久性に劣っていた。
【０００４】
この発明は、上記従来の布糸の解れによる問題を解消して、優れた布糸解れ防止性を具備して、耐久性に富んだ基布や当て布に好適な基材を提供することを目的としている。また、この発明は、その基材を用いて、洗濯等により繰り返し使用できる、耐久性に富んだ清掃部材及び清掃具を提供することを目的としている。
【課題を解決するための手段】
【０００５】
この発明は、上記課題を達成するためになされたものであり、本発明の第１の形態は、払拭部材を少なくとも下面に保持するための基材において、前記基材が基布及び／又は基布に固着される当て布から形成されてなり、前記基材の少なくとも一側縁に、布糸解れ防止手段を設けた基材である。
【０００６】
本発明の第２の形態は、前記第１の形態において、前記基材が織布からなり、前記布糸解れ防止手段が、前記織布の経糸又は緯糸の少なくとも一方をジグザグ状に織成し、前記側縁に糸切断部を有しない布縁構造からなる基材である。
【０００７】
本発明の第３の形態は、前記第１の形態において、前記基材が所定形状に切断された化繊糸織布からなり、前記布糸解れ防止手段が、前記切断部を溶着した溶着部を備えた布縁構造からなる基材である。
【０００８】
本発明の第４の形態は、前記第１、２又は３の形態に係る基材の前記基布下面に払拭部材を設け、前記基布上面に前記当て布を、前記布糸解れ防止手段を設けた前記側縁を合致させてアーチ状に固着して挿着部を形成した清掃部材である。
【０００９】
本発明の第５の形態は、前記第４の形態において、前記基布の端部を折り返して重ね、その重なり部分の両側端を縫着した袋部を備えた清掃部材である。
【００１０】
本発明の第６の形態は、前記第４又は５の形態において、前記挿着部の開口端の表裏にコ字形帯片を挟み付けて、前記開口端に固着した清掃部材である。
【００１１】
本発明の第７の形態は、前記第４〜６のいずれかの形態に係る清掃部材と、把持部とを備え、前記把持部の一端側を支持片として、前記支持片を前記挿着部に挿着自在にした清掃具である。
【００１２】
本発明の第８の形態は、前記第７の形態において、前記挿着部を貫通形状とし、前記挿着部を挿通した前記支持片の先端を前記袋部に内包させた清掃具である。
【発明の効果】
【００１３】
本発明の第１の形態によれば、払拭部材を少なくとも下面に保持するための基材において、前記基材が基布及び／又は基布に固着される当て布から形成されてなり、前記基材の少なくとも一側縁に、布糸解れ防止手段を設けたので、従来のような裁断箇所からの布糸の解れが発生したり、あるいは千切れたりせず、使用上の寿命が長く、耐久性に富んだ清掃部材及びそれを用いた清掃具を実現することができる。特に、本形態に係る基材は、洗濯を繰り返して再利用に適した耐久性に優れ、家庭用清掃具に限らず、洗濯再生頻度の多いレンタル業務用モップ清掃具等に好適である。なお、払拭部材は塵埃のような被清掃物を払拭したり粘着捕集する部材であり、例えばモップ等のパイル材、クロス体、スポンジ体、ブラシ体などから選択される。当て布の固着態様は、縫製加工による縫着や、合成化学繊維による場合には溶着による一体化形成あるいは接着剤による接合形態等を含む。
【００１４】
本発明の第２の形態によれば、前記基材が織布からなり、前記布糸解れ防止手段が、前記織布の経糸又は緯糸の少なくとも一方をジグザグ状に織成し、前記側縁に糸切断部を有しない布縁構造からなるので、前記側縁は前記ジグザグ状の織成糸で構成され、切断糸が露出せず、布糸の解れが発生しない、耐久性に優れた基布又は当て布を構成することができる。特に、前記織布の経糸及び緯糸の両方をジグザグ状に織成すれば、例えば、矩形状の基布又は当て布における四辺全部を糸切断部を有しない布縁構造にして、四辺すべてにおいて、布糸の解れが発生しない、耐久性に富んだ基布又は当て布を形成することができる。
【００１５】
本発明の第３の形態によれば、前記基材が所定形状に切断された化繊糸織布からなり、前記布糸解れ防止手段が、前記切断部を溶着した溶着部を備えた布縁構造からなるので、前記側縁は前記溶着部で構成され、切断糸が露出せず、布糸の解れが発生しない、耐久性に優れた基布又は当て布を構成することができる。
【００１６】
本発明の第４の形態によれば、前記第１、２又は３の形態に係る基材の前記基布下面に払拭部材を設け、前記基布上面に前記当て布を、前記布糸解れ防止手段を設けた前記側縁を合致させてアーチ状に固着して挿着部を形成したので、前記合致させた前記基布及び前記当て布の側縁において切断糸が露出せず、布糸の解れが発生しない、耐久性に優れた清掃部材を構成することができる。従って、本形態に係る清掃部材は、例えばハンディモップのグリップ部に連なる支持片を前記挿着部に、洗濯時や使用時等において、幾度も挿抜しても前記挿着部の固着部位が痛みにくい、優れた耐久性を具備する。
【００１７】
本発明の第５の形態によれば、前記基布の端部を折り返して重ね、その重なり部分の両側端を縫着した袋部を備えるので、前記基布の前記端部が布切断部で形成されていても、前記袋部の折り返し端が布糸解れ防止手段として作用して、耐久性に優れた清掃部材を構成することができる。しかも、前記袋部は、例えばハンディモップのグリップ部に連なる支持片を前記挿着部に挿通させ、その支持片先端を収納保持する支持片保持部として機能するので、該支持片の装着保持性を向上させることができる。
【００１８】
本発明の第６の形態によれば、前記挿着部の開口端の表裏にコ字形帯片を挟み付けて、前記開口端に固着したので、前記当て布による前記開口端が布切断部で形成されていても、前記コ字形帯片が前記開口端を覆って、布糸解れ防止手段として作用して、耐久性に優れた清掃部材を構成することができる。従って、本形態に係る清掃部材は、例えばハンディモップのグリップ部に連なる支持片を前記挿着部に、洗濯時や使用時等において、幾度も挿抜しても前記挿着部の前記開口端が痛みにくい、優れた耐久性を具備する。
【００１９】
本発明の第７の形態によれば、前記第４〜６のいずれかの形態に係る清掃部材と、把持部とを備え、前記把持部の一端側を支持片として、前記支持片を前記挿着部に挿着自在にしたので、洗濯等により繰り返し使用できる、耐久性に富んだ清掃具を提供することができる。
なお、本発明は、前記把持部が例えばハンディモップのグリップ部あるいはハンドル部である清掃具に限らず、長柄棒状の取って部を備えた箒形清掃具にも適用することができる。
【００２０】
本発明の第８の形態によれば、前記挿着部を貫通形状とし、前記挿着部を挿通した前記支持片の先端を前記袋部に内包させたので、洗濯等により繰り返し使用できる、耐久性に富み、また前記支持片の前記挿着部への装着保持性を向上させた清掃具を提供することができる。
【発明を実施するための最良の形態】
【００２１】
以下、この発明の実施形態を図面に基づいて説明する。
図１はこの発明の実施形態に係るハンディ形清掃具（以下、ハンディモップという。）を示す。図２はこのハンディモップに用いる清掃部材保持具１を示す。
【００２２】
このハンディモップは、清掃部材保持具１と払拭部材１１からなる。払拭部材１１はモップ繊維体のパイル材を細長状長方形の基布１２に植設したものである。基布１２上面には、細長形状の当て布からなる袋状保持部１３がアーチ状に縫着され、基布１２との間に袋状の取り付け孔が形成されている。払拭部材１１が植設される基布１２と、その上面に縫着された袋状保持部１３とによって清掃部材が構成される。清掃部材保持具１は、基布１２上面と袋状保持部１３裏面との間に形成される貫通部からなる挿着部に着脱可能に装着するものであり、袋状保持部１３両端の差込口のいずれかより挿着して、前記清掃部材を保持する保持片部２と、保持片部２と連設された、把持部としてのグリップ部３と、先端部５に下向きに設けた２つの上歯部８，９を、保持片部２の上面に対して保持片部２とグリップ部３との連設部分７に揺動自在に、保持片部２上に軸支された揺動片４とからなる。揺動片４のグリップ部３側一端には指操作部６が設けられている。保持片部２は、薄肉で、可撓性を備えた長細形状の合成樹脂製舌片形状を有する支持片からなる。保持片部２の上面には、上歯部８、９と対向して下歯部１０を突設されている。保持片部２の幅は約１cmである。払拭部材１１の装着をリバーシブルにするため、前記袋状の取り付け孔が袋状保持部１３両端に設けられている。保持片部２及びグリップ部３は合成樹脂を射出成形することにより一体形成されている。前記挿着部は保持片部２が挿通可能な貫通部により形成されているが、保持片部２が挿通しないで収納される袋状に形成してもよい。
【００２３】
基布１２と、袋状保持部１３の当て布には、図４に示す布材が用いられている。図４は布材の経緯構成を模式的に拡大した布構造を示す。この布材は経糸４０及び緯糸４１により織成された織布からなり、経糸４０に対して緯糸４１がジグザグ状（Ｓ字状）に織成されており、経糸４０側の布端縁５０には経糸を裁断した切断部があるが、緯糸４１側の布端縁５１には、ジグザグ状に織成された折り返しループ部が露出して糸切断部を有しない布縁構造を形成している。基布１２は緯糸４１側の布端縁５１を長辺にした長方形の布材が使用されている。袋状保持部１３の当て布にも緯糸４１側の布端縁５１を長辺にした長方形の布材が使用されている。布材の素繊維には綿繊維やナイロン等の合成化学繊維を使用できる。
【００２４】
基布１２及び袋状保持部１３の長手方向の長辺は布縁の幅が約１０ｃｍ程度に亘るので、布縁が布裁断時の切断部のままであると、使用回数や洗濯頻度が多くなると布糸の解れが生じやすくなるが、本実施形態では、図４に示すように、ジグザグ状に織成された緯糸４１側の布端縁５１により布糸解れ防止手段が施されているので、切断糸が露出せず、布糸の解れが発生しない、耐久性に優れた基布又は当て布を構成することができる。
基布１２及び袋状保持部１３の短辺は布縁の幅が約１ｃｍ程度で、布裁断時の切断部のままであっても解れの影響は少ないが、経糸もジグザグ状に織成すれば、四辺全部を糸切断部を有しない布縁構造にして、短辺及び長辺両方において、布糸の解れが発生しない、より耐久性に富んだ基布又は当て布を形成するようにしてもよい。なお、本実施形態では、基布１２の短辺側を切断部のまま使用せず、図６に示すように、基布１２の端部３８を折り返して重ね、その重なり部分の両側端を縫着した袋部５２を形成している。従って、基布１２の経糸側端部３８が布切断部で形成されていても、袋部５２の折り返し端が布糸解れ防止手段として作用して、耐久性を確保することができる。しかも、袋部５２は、袋状保持部１３による挿着部を貫通した保持片部２の先端を収納保持する保持部として機能するので、保持片部２の装着保持性を向上させることができる。
【００２５】
図５は本発明の別の布糸解れ防止手段を備えた布材の経緯構成を模式的に拡大した布構造を示す。この布材はナイロン糸等の合成化学繊維糸からなる経糸６０及び緯糸６１により織成された織布からなり、経糸６０及び緯糸６１の布端縁の裁断部分は溶着され、経緯のそれぞれに溶着部６２，６３を備える。このような布切断部を溶着した溶着部６２，６３を備えた布縁構造からなる布糸解れ防止手段を施した布材を基布又は当て布を用いれば、図４の布材と同様に、布側縁において切断糸が露出せず、布糸の解れが発生しない、優れた耐久性を具備させることができる。
【００２６】
袋状保持部１３の差込口付近の表裏側には、表側布テープ材１４、裏側布テープ材１８が縫着されている。表側布テープ材１４と裏側布テープ材１８は断面コ字形にしたテープ片を袋状保持部１３の差込口部端を包むようにして縫着されたものであり、当て布短辺側の差込口端部の裁断箇所が解れるのを防止している。表側の布テープ材１４と裏側の布テープ材１８はそれぞれ、差込口の開放端より内側に段差部分を形成している。表側の布テープ材１４による上側段差部分に対して、上歯部８、９の内面側は鋭角に配向されている。
【００２７】
図３は、連設部分７における揺動片４のクリップ型揺動機構を示す。揺動片４の中心下部１７には軸部１５が設けられていて、軸部１５を連設部分７に設けた軸孔に嵌入させ、回動自在に軸支している。指操作部６下部には上歯部８、９を保持片部２側に付勢する付勢手段としてのバネ材１６が内設されている。軸部１５を設けた中心下部１７は丸みを帯びており、保持片部２表面に当接している。
【００２８】
上記構成の清掃部材保持具１による袋状保持部１３の着脱機能を説明する。
まず、グリップ部３を握持した状態において指で指操作部６を押さえることにより、図３の破線で示すように、揺動片４の先端部５を上向きに持ち上げた後、保持片部２の先端を袋状保持部１３の差込口より挿入する。ついで、指の力を抜くことにより指操作部６の押さえを解除することにより、バネ材１６の弾性力によって、上歯部８、９と下歯部１０が噛合する。この噛合状態において、上歯部８、９と下歯部１０は、表側布テープ材１４と裏側布テープ材１８の前記段差部分に引っ掛かるように係合するので、保持片部２と袋状保持部１３との挿着状態をロックして強固に保持することができる。特に、噛合状態となるとき、上側段差部分の端部に対して、上歯部８、９の内面側が鋭角に係合するので、グリップ部３を持って強く振っても、上歯部８、９が上側段差部分の端部に対して食い込み、保持片部２が袋状保持部１３から脱離しない、より強固な保持構造を具備させることができる。なお、裏側の布テープ材１８の下側段差部分に対して、下歯部１０内面側を鋭角に配向すれば、裏側での係合保持力も増加させることができる。しかも、上歯部８、９と下歯部１０は、下歯部１０は櫛歯状突起の上歯部８、９の間に対向して設けられているので、前記係合作用に加え、差込口の開放端側において袋状保持部１３に接触する部分が多くなり、保持片部２と袋状保持部１３との挿着状態をロックしてより強固に保持することができる。
【００２９】
清掃作業が終了すれば、払拭部材１１に付着した塵芥を払い落とすとき、グリップ部３を持って強く振っても、上歯部８、９と下歯部１０との噛合による前記係合作用によって、保持片部２が袋状保持部１３から脱離しない強固な、抜け落ち防止がなされ、十分に塵芥を払い落とす作業を行える。従って、本実施形態に係るハンディモップは、清掃作業性に優れ、しかも保持片部２の上面に上歯部８、９と対向して下歯部１０を突設した簡単な構造からなる、袋状保持部１３の保持構造を具備する。特に、本実施形態では、袋状保持部１３の強固な保持構造を活用して、保持片部２は可撓性を備えた長細形状の合成樹脂製舌片を使用しており、払拭部材１１に付着した塵芥を払い落とすとき、グリップ部３を持って軽く振っても、撓りやすくて振るい落とし効率がよく、清掃作業性の向上に寄与するとともに、清掃対象面にフィットし、ソフトタッチの清掃具を提供することができる。保持片部２を外すときは、揺動片４の先端部５を上向きに持ち上げ、上歯部８、９と下歯部１０との噛合を解除することにより、保持片部２を袋状保持部１３より簡単に抜脱することができる。
【００３０】
尚、上記実施形態に限定されるものではなく、本発明の技術的思想を逸脱しない範囲における種々変形例、設計変更などをその技術的範囲内に包含するものであることは云うまでもない。また、本発明はハンディ形清掃具に限らず、更に保持片部２に対してグリップ部３が別体形成されたものであっても、適用可能である。
【産業上の利用可能性】
【００３１】
本発明によれば、モップ状物等の払拭部材を保持する布基材において、洗濯等により繰り返し使用できる、耐久性に富むので、製品の長寿命化を実現でき、しかも製品品質の向上させた、ハンディモップ等の清掃具を提供することができる。
【図面の簡単な説明】
【００３２】
【図１】本発明の実施形態に係るハンディモップの外観斜視図である。
【図２】前記ハンディモップに用いる清掃部材保持具の外観斜視図である。
【図３】連設部分７における揺動片４のクリップ型揺動機構を示す断面図である。
【図４】本発明に係る布材の経緯構成を模式的に拡大した布構造を示す図である。
【図５】本発明に係る別の布材の経緯構成を模式的に拡大した布構造を示す図である。
【図６】本実施形態における袋部５２を模式的に示す部分布断面図である。
【符号の説明】
【００３３】
１          清掃部材保持具
２          保持片部
３          グリップ部
４          揺動片
５          先端部
６          指操作部
７          連設部分
８          上歯部
９          上歯部
１０        下歯部
１１        払拭材
１２        基布
１３        袋状保持部
１４        表側布テープ材
１５        軸部
１６        バネ材
１７        中心下部
１８        裏側布テープ材
２０        下歯部
２１        下歯部
３０        上側布材
３１        上側折り返し厚肉部
３２        下側布材
３３        下側折り返し厚肉部
３４        上側布材
３５        上側折り返し厚肉部
３６        下側布材
３７        テープ材
３８        端部
４０        経糸
４１        緯糸
５０        布端縁
５１        布端縁
５２        袋部
６０        経糸
６１        緯糸
６２        溶着部
６３        溶着部
【図１】
2007175106.tif 000003
【図２】
2007175106.tif 000004
【図３】
2007175106.tif 000005
【図４】
2007175106.tif 000006
【図５】
2007175106.tif 000007
【図６】
2007175106.tif 000008